(57)【要約】【課題】ユーザーにより選択された単語の表示サイズを拡大させてユーザーが選択した単語の点検、入力、修正及び編集を容易にする。【解決手段】移動端末機の表示部に表示された画面のテキストを編集する方法であって、複数の単語を連ねたテキスト画面を前記表示部に表示するステップと、前記複数の単語のうちから一つを選択するステップと、前記選択された単語を所定の拡大率で自動拡大させて表示するステップと、を含む。【選択図】図１
2007299394.tif 000002
【特許請求の範囲】
【請求項１】
移動端末機の表示部に表示された画面のテキストを編集する方法であって、
複数の単語を連ねたテキスト画面を前記表示部に表示するステップと、
前記複数の単語のうちから一つを選択するステップと、
前記選択された単語を所定の拡大率で自動拡大させて表示するステップと、
を含むことを特徴とする移動端末機のテキスト編集方法。
【請求項２】
前記複数の単語のうちから一つを選択するステップは、
前記複数の単語のうちから選択しようとする単語の一文字に隣接した位置にカーソルを位置付けるステップと、
前記カーソルに対応する単語が自動選択されるステップと、
を含むことを特徴とする請求項１に記載の移動端末機のテキスト編集方法。
【請求項３】
前記カーソルに対応する単語が自動選択されると、前記カーソルは、前記選択された単語内の文字間の移動が規制され、キーパッドのカーソルキーの操作により、前記選択された単語の直前又は直後の単語へジャンプ移動することを特徴とする請求項２に記載の移動端末機のテキスト編集方法。
【請求項４】
前記複数の単語のうちから一つを選択するステップは、
前記複数の単語のうちから選択しようとする単語に対応した位置における表示面との接触を検出するステップと、
前記表示面との接触が検出されると、前記単語が自動選択されるステップと、
を含むことを特徴とする請求項１に記載の移動端末機のテキスト編集方法。
【請求項５】
前記選択された単語を拡大表示するステップは、
同じテキスト画面に所定サイズで所定形状のウィンドウを生成するステップと、
前記選択された単語を前記ウィンドウ内で拡大させて表示するステップと、
を含むことを特徴とする請求項１に記載の移動端末機のテキスト編集方法。
【請求項６】
前記ウィンドウが生成されると、該ウィンドウ内に拡大表示された単語の一文字に隣接して文字間で移動可能なカーソルが表示されることを特徴とする請求項５に記載の移動端末機のテキスト編集方法。
【請求項７】
前記選択された単語が自動拡大されると、該単語の一文字に隣接して文字間で移動可能なカーソルが表示されることを特徴とする請求項１に記載の移動端末機のテキスト編集方法。
【請求項８】
前記拡大表示された単語を編集するステップをさらに含むことを特徴とする請求項１に記載の移動端末機のテキスト編集方法。
【請求項９】
前記複数の単語のうちから他の一つを選択するステップと、
前記選択された他の一つの単語を所定の拡大率で自動拡大するステップと、
一つ前に選択された単語を元のサイズに自動復帰させて表示するステップと、
をさらに含むことを特徴とする請求項１に記載の移動端末機のテキスト編集方法。
【請求項１０】
複数の単語を連ねたテキスト画面を表示する表示部と、
前記複数の単語のうちから一つを選択するための入力部と、
前記選択された単語を所定の拡大率で自動拡大させる制御部と、
を含んで構成したことを特徴とする移動端末機。
【請求項１１】
前記入力部は、前記画面上でカーソルを移動操作するための少なくとも一つのカーソルキーを具備したキーパッドを含んで構成され、前記カーソルキーを操作して前記カーソルが前記複数の単語のうちから選択しようとする単語の一文字に隣接して位置付けられると、該カーソルに対応した単語が自動選択されることを特徴とする請求項１０に記載の移動端末機。
【請求項１２】
前記カーソルは、前記単語が選択されると、該単語の文字間の移動が規制され、前記カーソルキーの操作により、前記選択された単語の直前又は直後の単語へジャンプ移動することを特徴とする請求項１１に記載の移動端末機。
【請求項１３】
前記入力部は、タッチスクリーンを含み、前記複数の単語のうちから選択しようとする単語に対応した位置における前記タッチスクリーンとの接触を検出して、前記単語が自動選択されることを特徴とする請求項１０に記載の移動端末機。
【請求項１４】
前記制御部は、前記同じテキスト画面に所定サイズで所定形状のウィンドウを生成して、前記選択された単語を前記ウィンドウ内に拡大させて表示させることを特徴とする請求項１０に記載の移動端末機。
【請求項１５】
前記制御部は、前記ウィンドウが生成されると、該ウィンドウ内に拡大表示された単語の一文字に隣接して、文字間で移動可能なカーソルを表示させることを特徴とする請求項１４に記載の移動端末機。
【請求項１６】
前記制御部は、前記選択された単語が拡大されると、該単語の一文字に隣接して文字間で移動可能なカーソルを表示させることを特徴とする請求項１０に記載の移動端末機。
【請求項１７】
前記制御部は、前記拡大表示された単語の編集を可能にすることを特徴とする請求項１０に記載の移動端末機。
【請求項１８】
前記入力部は、前記複数の単語のうちから他の一つを選択可能にし、
前記制御部は、前記選択された他の一つの単語を所定の拡大率で自動拡大させ、一つ前に選択された単語を元のサイズに自動復帰させて表示させることを特徴とする請求項１０に記載の移動端末機。
【請求項１９】
移動端末機の表示部に表示された画面のテキストを編集する方法であって、
複数の単語を第１のサイズで表示するステップと、
前記複数の単語のうちから選択しようとする単語の一文字に隣接した位置にカーソルを位置付けるか、又は前記選択しようとする単語に対応した位置における表示面との接触を検出するステップと、
前記カーソルの位置又は表示面との接触を検出した位置に対応する単語を自動選択するステップと、
前記選択された単語を前記第１のサイズより大きい第２のサイズで拡大表示するステップと、
を含むことを特徴とする移動端末機のテキスト編集方法。
【発明の詳細な説明】
【技術分野】
【０００１】
本発明は、移動端末機のテキスト表示方法に係り、特に、ユーザーが画面上に表示される情報量を減少させずに単語の点検、入力、修正及び編集を容易にしようとする移動端末機のテキスト表示方法及び移動端末機に関する。
【背景技術】
【０００２】
図６は、従来技術による移動端末機でテキストを表示した画面を示す平面図である。図６を参照して従来技術による移動端末機にテキストを表示する方法について説明する。
【０００３】
図６に示すように、ユーザーは、移動端末機の表示部に表示されたテキストを編集するために、修正、入力または編集される文字や単語の先頭位置までカーソル１０を移動させる際に、一回のキー操作により１スペースずつカーソル１０を移動させて行かなければならない。このようなカーソル１０を一回のキー操作により１スペースずつしか移動させることができないという不便さは、タッチスクリーンにより解消することができる。即ち、ユーザーは、タッチスクリーンを直接タッチしてカーソル１０を目標位置までジャンプさせることができる。
【発明の開示】
【発明が解決しようとする課題】
【０００４】
しかし、移動端末機に適用されているタッチスクリーンは、一般的に小型であるため、ユーザーが指を使用して目標位置を正確にタッチすることは困難である。従って、この場合、ユーザーは、目標位置の近傍をタッチすることによりカーソル１０をジャンプして移動させ、次に、カーソルキーを使用してカーソル１０を１スペースずつ移動させて目標位置にカーソルを位置付けることになる。画面上に一層多い情報を表示するために文字サイズが縮小された場合には、目標位置にカーソルを位置付けるのがより困難になる。さらに、各単語を点検するときにユーザーの目が疲れ易くなる。
【０００５】
そこで、本発明は上記問題を解決するためになされたもので、ユーザーにより選択された単語の表示サイズを拡大させてユーザーが選択した単語の点検、入力、修正及び編集を容易にしようとする移動端末機及びこのような移動端末機のテキスト表示方法を提供することを目的とする。
【課題を解決するための手段】
【０００６】
前記目的を達成するために本発明の一実施形態によれば、移動通信端末に表示されたテキストを編集する方法が提供される。この方法は、複数の単語を連ねたテキスト画面を表示部に表示するステップと、前記複数の単語のうちから一つを選択するステップと、選択された単語を所定の拡大率で自動拡大させて表示するステップと、を含む。
【０００７】
前記複数の単語のうちから一つを選択するステップは、前記複数の単語のうちから選択しようとする単語の一文字に隣接した位置にカーソルを位置付けるステップと、前記カーソルに対応する単語が自動選択されるステップと、を含んでもよい。また、前記カーソルに対応する単語が自動選択されると、前記カーソルは、前記選択された単語内の文字間の移動が規制され、キーパッドのカーソルキーの操作により、前記選択された単語の直前又は直後の単語へジャンプ移動するステップをさらに含んでもよい。
【０００８】
前記複数の単語のうちから一つを選択するステップは、前記複数の単語のうちから選択しようとする単語に対応した位置における表示面との接触を検出するステップと、前記表示面との接触が検出されると、前記単語が自動選択されるステップと、を含んでもよい。また、前記選択された単語を拡大表示するステップは、同じテキスト画面に所定サイズで所定形状のウィンドウを生成するステップと、前記選択された単語を前記ウィンドウ内で拡大させて表示するステップと、を含んでもよい。
【０００９】
前記ウィンドウが生成されると、該ウィンドウ内に拡大表示された単語の一文字に隣接して文字間で移動可能なカーソルを表示させてもよい。また、前記選択された単語が自動拡大されると、該単語の一文字に隣接して文字間で移動可能なカーソルを表示させてもよい。
【００１０】
前記方法は、前記拡大表示された単語を編集するステップをさらに含んでもよい。また、前記方法は、前記前記複数の単語のうちから他の一つを選択するステップと、前記選択された他の一つの単語を所定の拡大率で自動拡大するステップと、一つ前に選択された単語を元のサイズに自動復帰させて表示するステップと、をさらに含んでもよい。
【００１１】
本発明の他の実施形態では、複数の単語を連ねたテキスト画面を表示する表示部と、前記複数の単語のうちから一つを選択するための入力部と、前記選択された単語を所定の拡大率で自動拡大させる制御部と、を含む。
【００１２】
前記入力部は、前記画面上でカーソルを移動操作するための少なくとも一つのカーソルキーを具備したキーパッドを含んで構成され、前記カーソルキーを操作して前記カーソルが前記複数の単語のうちから選択しようとする単語の一文字に隣接して位置付けられると、該カーソルに対応した単語が自動選択されるものであってもよい。また、前記カーソルは、前記単語が選択されると、該単語の文字間の移動が規制され、前記カーソルキーの操作により、前記選択された単語の直前又は直後の単語へジャンプ移動するものであってもよい。
【００１３】
前記入力部は、タッチスクリーンを含み、前記複数の単語のうちから選択しようとする単語に対応した位置における前記タッチスクリーンとの接触を検出して、前記単語が自動選択されるものであってもよい。また、前記制御部は、前記同じテキスト画面に所定サイズで所定形状のウィンドウを生成して、前記選択された単語を前記ウィンドウ内に拡大させて表示させるものであってもよい。
【００１４】
前記制御部は、前記ウィンドウが生成されると、該ウィンドウ内に拡大表示された単語の一文字に隣接して、文字間で移動可能なカーソルを表示させるものであってもよい。また、前記制御部は、前記選択された単語が拡大されると、該単語の一文字に隣接して文字間で移動可能なカーソルを表示させるものであってもよい。好ましくは、前記制御部は、前記拡大表示された単語の編集を可能にするものであるとよい。また、前記入力部は、前記複数の単語のうちから他の一つを選択可能にし、前記制御部は、前記選択された他の一つの単語を所定の拡大率で自動拡大させ、一つ前に選択された単語を元のサイズに自動復帰させて表示させるものであるとよい。
【００１５】
本発明の他の実施形態では、移動端末機の表示部に表示された画面のテキストを編集する方法であって、複数の単語を第１のサイズで表示するステップと、前記複数の単語のうちから選択しようとする単語の一文字に隣接した位置にカーソルを位置付けるか、又は前記選択しようとする単語に対応した位置における表示面との接触を検出するステップと、前記カーソルの位置又は表示面との接触を検出した位置に対応する単語を自動選択するステップと、前記選択された単語を前記第１のサイズより大きい第２のサイズで拡大表示するステップと、を含む。
【００１６】
本発明に係る前述した課題を解決するための手段の説明と後述する実施形態の説明は、例示であり、説明目的のものであり、本発明のさらなる説明を提供することを意図していることを理解すべきである。
【発明の効果】
【００１７】
本発明によれば、ユーザーが選択した単語を拡大させて表示することができ、ユーザーは選択した単語の点検、入力、修正及び編集を容易に行うことができる。具体的には、ユーザーは、選択された単語が拡大表示されるウィンドウ内でその選択された単語を編集等することができる。したがって、ユーザーは、編集等しようとする単語の位置を正確に探すことができ、目の疲れを抑えることができる。
【００１８】
また、選択された単語を拡大表示するウィンドウを所定サイズまたは所定形状で生成することができるため、ウィンドウサイズまたは形状を適当に設定することにより、タッチスクリーンにおける単語の選択領域を広げることができる。すなわち、選択しようとする単語または文字近傍をタッチするだけで目的の単語または文字をウィンドウ内に表示させることができる。したがって、単語の編集等がより容易になる。
【発明を実施するための最良の形態】
【００１９】
以下、本発明の好ましい実施の形態について、添付図面を参照して詳細に説明する。なお、以下の説明において、同一の要素には同一の符号を用いて述べる。
【００２０】
図１は、本発明の一実施形態によるテキスト表示方法を示すフローチャートである。図２は、本発明の一実施形態によるテキストを表示した画面を示す図である。図３は、本発明の一実施形態による単語を編集する画面を示す図である。図４は、本発明の一実施形態による単語の間の移動に対する画面を示す図である。本発明の一実施形態によるテキスト表示方法について、図１〜図４を参照して詳細に説明する。
【００２１】
本発明の一実施形態によるテキスト表示方法は、タッチスクリーンを具備する移動端末機において実現することができる。本発明によるテキスト表示方法を具現する移動端末機については、以後に説明する。
【００２２】
図２（ａ）に示すように、複数の単語を連ねたテキストが端末の画面上に表示される（ステップＳ２０）。例えば、ユーザーの端末がＳＭＳ（ＳｈｏｒｔＭｅｓｓａｇｅ Ｓｅｒｖｉｃｅ）を使用してメッセージを伝送するためにテキストを入力する。
【００２３】
次に、表示された単語のうちから一つが選択される（ステップＳ２１）。単語の選択には、二つの方式が在る。
【００２４】
単語を選択する一つの方式は、キー入力モードにおいて画面上の文字に隣接して表示されたカーソルの位置に対応した単語が選択される。この場合、例えば、図２（ａ）に示すカーソルキー３２によってカーソルが移動され、このカーソルによって指示された単語が選択される。
【００２５】
単語を選択する他の方式は、タッチモードにおいてタッチスクリーンに表示された単語をタッチすることにより単語が選択される。例えば、図２（ｂ）に示すように、タッチモードにおいて単語‘Ｈｏｏ’をタッチすることにより該単語が選択される。
【００２６】
図２（ｃ）に示すように、選択された単語は、所定の拡大率で拡大され、拡大された単語が表示される（ステップＳ２２）。また、拡大された単語を表示するための所定のウィンドウ３０が同じ画面上に生成される。例えば、図２（ｃ）に示すように、ステップＳ２１で、選択された単語‘Ｈｏｏ’を拡大するためのウィンドウ３０が同じ画面上に生成される。
【００２７】
所定の透過性を有するウィンドウ３０は、ユーザーがそのウィンドウに含まれたテキストを認識することができるようにするものである。ユーザーは、このような所定のウィンドウのサイズ、所定の拡大率及び透過性を設定することができる。
【００２８】
ユーザーは、生成されたウィンドウ３０で所定の拡大率で拡大された単語を編集する（ステップＳ２３）。ここで、単語編集とは、修正、追加または削除により前記拡大された単語に含まれる文字を変更することを意味する。
【００２９】
図３は、ステップＳ２３で実行される単語編集の詳細を示す図である。図３（ａ），（ｂ）に示すように、ウィンドウ３０が生成されて、編集モードに移るとカーソル４０が表示される。
【００３０】
このようにして、ユーザーは、編集モードにおいてウィンドウ３０に表示された単語を編集することができる。例えば、図３に示すように、‘Ｈｏｏ’が‘Ｈｏｗ’に修正される。
【００３１】
図４を参照して、本発明による編集する他の単語を選択する方法について説明する。この場合、ステップＳ２１で選択された、例えば図３に示す単語と異なる単語が選択される。例えば、図４（ａ）において、‘Ｈｏｏ’が‘Ｈｏｗ’に修正された後、ユーザーは、図４（ｂ），（ｃ）に示すように、‘ｙｏｕ’を選択する。
【００３２】
この時、ステップＳ２１で選択されて拡大表示された単語は、ステップＳ２０で表示された元のサイズに復帰し、新たに選択された単語が所定の拡大率で拡大表示される。例えば、図４（ｂ）で選択された‘ｙｏｕ’は、図４（ｃ）に示すように、所定の拡大率に拡大されて表示される。
【００３３】
図５は、本発明の一実施形態によるテキスト表示方法の実施を可能とした移動端末機を示すブロック図である。図５に示すように、移動端末機は、無線通信部６０、制御部６１、キー入力部６２、メモリ６３、表示部６４及びタッチスクリーン６５を含む。
【００３４】
無線通信部６０は、移動通信ネットワークとデータを送受信する通信デバイスである。制御部６１は、本発明による移動端末機の全体動作を制御するものある。
【００３５】
キー入力部６２は、多様な数字キー及びカーソルキーを含む。キー入力部６２は、ユーザーから多様な情報または命令語を受信する入力デバイスである。
【００３６】
メモリ６３は、移動端末機の全体動作を制御するプログラムを保存するものである。また、メモリ６３は、制御部６１が移動端末機の全体動作を実行するときに処理される多様なデータを保存する。
【００３７】
表示部６４は、移動端末機の状態または多様なタイプの情報を表示するデバイスである。表示部６４の一部としてタッチスクリーン６５が提供されており、これはキー入力部６２とは別にユーザーインターフェースを提供する。タッチスクリーン６５は、外部からタッチされる地点の座標を制御部６１に伝達するための入力デバイスとしての機能を実行する。
【００３８】
制御部６１の動作を参照して移動端末機について説明する。説明の便宜上、図２（ａ）に示すように、表示部６４上には少なくとも一つの単語を含むテキストが表示される場合について述べる。
【００３９】
キー入力部６２またはタッチスクリーン６５は、表示部６４上に表示される複数の単語のうち一つに対する選択信号を制御部６１に伝達する。キー入力部６２を使用して単語が選択される場合、キー入力部のカーソルキーを使用してカーソルが移動され、所定位置に位置づけられると選択信号が発生し、該選択信号に基づいて前記所定位置に対応した単語が選択される。タッチスクリーン６５を使用して単語が選択される場合、タッチスクリーンに指先がタッチされると選択信号が発生し、該選択信号に基づいてタッチされた単語が選択される。同時に、タッチスクリーン６５からタッチされた単語の座標が制御部６１に伝達され、制御部においては伝達された座標によりどの単語が選択されたかを判定する。
【００４０】
次に、制御部６１は、選択された単語のサイズを制御する。即ち、キー入力部６２またはタッチスクリーン６５からの選択信号に基づいて所定の拡大率により、選択された単語が拡大表示される。制御部６１は、単語を表示するためのウィンドウ３０を生成する。これは図２（ｃ）に示したように、表示部６４上で、所定の拡大率によって拡大される。
【００４１】
制御部６１は、所定の透過性を具備するウィンドウを生成するので、ユーザーは生成されたウィンドウ３０に含まれるテキストを認識することができる。ユーザーは所定のウィンドウのサイズ以外にも所定の拡大率及び透過性を設定することができる。図２（ｃ）及び図３（ａ），（ｂ）に示すように、所定の拡大率によって拡大された単語はウィンドウ内で編集することができる。
【００４２】
以上の説明においては、選択された単語が同じ画面に生成されたウィンドウ３０に拡大表示される場合について述べたが、本発明はこれに限られず、別の画面に表示させてもよい。この場合、選択した単語の編集が終了すると元の画面に復帰する。
【００４３】
また、以上の説明においては、タッチスクリーンに表示された画面のテキスト編集について述べたが、本発明はこれに限られず、通常の表示部に表示された画面のテキスト編集を行なうものであってもよい。このような通常の表示部に表示された画面のテキスト編集を行なう場合には、カーソルは、選択された単語内の文字間の移動が規制され、キーパッドのカーソルキーの操作により、選択された単語の直前又は直後の単語へジャンプ移動するようにするとよい。これにより、各単語の選択を迅速に行なうことができる。
【００４４】
以上、本発明の詳細な説明においては具体的な実施形態に関して説明したが、形式や細部についての様々な変更が、特許請求の範囲の記載により規定されるような本発明の精神及び範囲から逸脱することなく行われることが可能であることは、当該技術分野における通常の知識を持つ者には明らかである。したがって、本発明の範囲は、前述の実施形態に限定されるものではなく、特許請求の範囲の記載及びこれと均等なものに基づいて定められるべきである。
【図面の簡単な説明】
【００４５】
【図１】本発明の一実施形態によるテキスト表示方法を示すフローチャートである。
【図２】本発明の一実施形態によるテキストを表示した画面から所望の単語の選択を示す説明図である。
【図３】本発明の一実施形態による選択した単語の編集を示す説明図である。
【図４】本発明の一実施形態による他の単語の選択を示す説明図である。
【図５】本発明の一実施形態によるテキスト表示方法を実施可能にする移動端末機を示すブロック図である。
【図６】従来移動端末機でテキストを表示した画面を示す平面図である。
【符号の説明】
【００４６】
１０，４０…カーソル
３０…ウィンドウ
３２…カーソルキー
６１…制御部
６２…キー入力部
６４…表示部
６５…タッチスクリーン
【図１】
2007299394.tif 000003
【図２】
2007299394.tif 000004
【図３】
2007299394.tif 000005
【図４】
2007299394.tif 000006
【図５】
2007299394.tif 000007
【図６】
2007299394.tif 000008